(57)【要約】【課題】目的地に到着するまでに不慮の事故が生ずる可能性がある場合の通知を行う。【解決手段】行動を監視するための情報を入力する入力手段と、行動を監視するエリアを特定する監視エリア特定手段と、現在位置を測位する現在位置測位手段と、前記現在位置測位手段で測位した現在位置情報をもとに、監視エリア内での行動を監視し、前記監視エリアから逸脱することを監視する現在位置判定手段と、前記現在位置判定手段で監視エリアから逸脱してから、経過時間を計測する時間計測手段と、前記監視エリアから逸脱して、所定時間内に監視エリアに戻らなかった場合、所定通知先に通知する通信処理手段を備える。【選択図】  図１
2005286817.tif 000002
【特許請求の範囲】
【請求項１】
ＧＰＳ機能をもった携帯電話機において、
行動を監視するための情報と、行動監視の開始指示を入力する入力手段と、
前記入力した情報をもとに行動を監視するエリアを特定する監視エリア特定手段と、
前記監視開始指示により、現在位置を測位する現在位置測位手段と、
前記監視開始指示により、前記現在位置測位手段で測位した現在位置情報をもとに、監視エリア内での行動を監視し、前記監視エリアから逸脱することを監視する現在位置判定手段と、
前記現在位置判定手段で監視エリアから逸脱してから、経過時間を計測する時間計測手段と、
前記監視エリアから逸脱して、所定時間内に監視エリアに戻らなかった場合、所定通知先に通知する通信処理手段を備えたことを特徴とする行動監視端末。
【請求項２】
前記時間計測手段はさらに、前記監視開始指示により経過時間を計測し、
前記現在位置判定手段はさらに、監視開始してからの経過時間が所定の時間を超えることを監視し、
前記通信処理手段は前記経過時間が所定時間を超えた場合、所定通知先に通知することを特徴とする請求項１記載の行動監視端末。
【請求項３】
前記現在位置判定手段はさらに、監視エリア内で移動が停止することを監視し、
前記時間計測手段はさらに、監視エリア内で移動が停止してから時間を計測し、
前記通信処理手段は前記移動が停止した時間が所定時間を超えた場合、所定通知先に通知することを特徴とする請求項１記載の行動監視端末。
【請求項４】
前記監視エリア特定手段はＧＰＳ機能を利用して、出発地と経由地と目的地と所要時間でルートを求め、前記求めたルートから外周ルートとして２つのルートを選択し、前記外周ルートで囲まれた領域を監視エリアとすることを特徴とする請求項１記載の行動監視端末。
【請求項５】
前記監視エリア特定手段はさらに、求めた監視エリアの外側に遊びのエリアを設けることを特徴とする請求項４記載の行動監視端末。
【請求項６】
ＧＰＳ機能をもった監視される携帯電話機１と、監視する携帯電話機２において、
前記携帯電話機２は行動を監視するための情報と、行動監視の開始指示を入力する入力手段と、
前記入力した情報をもとに行動を監視するエリアを特定する監視エリア特定手段とを備え、
前記携帯電話機１は前記監視開始指示により、現在位置を測位する現在位置測位手段と、
前記監視開始指示により、前記現在位置測位手段で測位した現在位置情報をもとに、監視エリア内での行動を監視し、前記監視エリアから逸脱することを監視する現在位置判定手段と、
前記現在位置判定手段で監視エリアから逸脱してから、経過時間を計測する時間計測手段と、
前記監視エリアから逸脱して、所定時間内に監視エリアに戻らなかった場合、所定通知先に通知する通信処理手段を備えたことを特徴とする行動監視システム。
【請求項７】
ＧＰＳ機能をもった監視される携帯電話機１と、監視する携帯電話機２と、監視判定を行うサーバ装置において、
前記携帯電話機２は行動を監視するための情報と、行動監視の開始指示を入力する入力手段を備え、
前記携帯電話機１はＧＰＳ機能により現在位置を測位する現在位置測位手段を備え、
前記サーバ装置は前記携帯電話機２から送られた入力した情報をもとに行動を監視するエリアを特定する監視エリア特定手段と、
前記携帯電話機２からの監視開始指示により、前記携帯電話機１からの現在位置情報をもとに、監視エリア内での行動を監視し、前記監視エリアから逸脱することを監視する現在位置判定手段と、
前記現在位置判定手段で監視エリアから逸脱してから、経過時間を計測する時間計測手段と、
前記監視エリアから逸脱して、所定時間内に監視エリアに戻らなかった場合、所定通知先に通知する通信処理手段を備えたことを特徴とする行動監視システム。
【請求項８】
特定した監視エリアでの行動を監視し、異常を検知して通報する方法において、
行動を監視するための情報と、行動監視の開始指示を入力する入力ステップと、
前記入力した情報をもとに行動を監視するエリアを特定する監視エリア特定ステップと、
前記監視開始指示により、現在位置を測位する現在位置測位ステップと、
前記監視開始指示により、前記現在位置測位ステップで測位した現在位置情報をもとに、監視エリア内での行動を監視し、前記監視エリアから逸脱することを監視する現在位置判定ステップと、
前記現在位置判定ステップで監視エリアから逸脱してから、経過時間を計測する時間計測ステップと、
前記監視エリアから逸脱して、所定時間内に監視エリアに戻らなかった場合、所定通知先に通知する通信処理ステップを備えたことを特徴とする行動監視方法。
【請求項９】
特定した監視エリアでの行動を監視し、異常を検知して通報するプログラムにおいて、
行動を監視するための情報と、行動監視の開始指示を入力する入力ステップと、
前記入力した情報をもとに行動を監視するエリアを特定する監視エリア特定ステップと、
前記監視開始指示により、現在位置を測位する現在位置測位ステップと、
前記監視開始指示により、前記現在位置測位ステップで測位した現在位置情報をもとに、監視エリア内での行動を監視し、前記監視エリアから逸脱することを監視する現在位置判定ステップと、
前記現在位置判定ステップで監視エリアから逸脱してから、経過時間を計測する時間計測ステップと、
前記監視エリアから逸脱して、所定時間内に監視エリアに戻らなかった場合、所定通知先に通知する通信処理ステップを備えたことを特徴とする行動監視プログラム。
【発明の詳細な説明】
【技術分野】
【０００１】
本発明は、携帯電話機のＧＰＳ機能を利用して、特定した監視エリアでの行動を監視し、異常を検知した場合に異常内容を監視する携帯電話機に通知する行動監視端末に関する。
【背景技術】
【０００２】
従来、携帯電話機やＰＨＳなどを利用した位置情報提供サービスが提供されている。例えばＰＨＳ端末と基地局とが定期的に交信する電波を利用して半径１００ｍ〜５００ｍ程度の精度で位置を計測し、現在位置をＰＨＳやＦＡＸや専用ソフトなどで確認することができる。
また、携帯電話機のＧＰＳ機能を利用して、探したい人が持っている携帯電話番号を入力することで、入力された携帯電話から現在の位置情報（ＧＰＳにより取得した位置情報）を取得して、地図上に取得した位置を表示するサービスがある。
しかし、それらのサービスは例えば携帯電話を持たせた子どもの行き先が分からなくなったとか、目的地に着くのが遅くて不安になったとかなど、監視する側が積極的に位置を確認する方式で、監視する側としてはついつい位置確認することを忘れてしまうという課題があった。
このような課題を解決する方法として、特許文献１のように、目的地に達するまでの通過地点を設定することで、通過地点に到着した時点や目的地に到着した時点で通報先に自動的に通知するシステムが提案されている。
【特許文献１】特開２００３−２６４６１５号公報
【発明の開示】
【発明が解決しようとする課題】
【０００３】
ところが、これらのシステムにおいては目的地に到着するまでの通過地点を通過したり、目的地に到着したりしない限り、通報先に通知はされない。従って、そろそろ通過地点を通過する時刻とか、そろそろ目的地に到着する時刻とかをある程度予想して、予想した時刻を過ぎても通知が無いと、位置確認をしなければならないため、不測の事態が起こった際、いつまで経っても到着通知メールが来ないことを知って初めて予期せぬことが起こっている可能性に気づくことになり、その後の対応が遅れることになる。
従って、現在位置の確認は親が確認操作を行ったときのみであり、いつ起こるか分からない不測の事態に備えて日々確認操作を行うことは現実的ではない。自動的に一定時間置きに確認を行うことも可能だが、その場合も結局は毎回の通知をいちいち確認する必要がある上に、無意味な通信コストが発生し現実的ではない。
【０００４】
以上のことを鑑みて、本発明は出発地点と経由地点と目的地を予め登録することで、監視エリアを特定し、監視エリア内から離脱した場合とか、監視エリア内で動きが止まった場合とか、監視エリア内で予め設定した時間を経過しても目的地に到着しない場合に自動的に所定の通知先に通知することで、不測の事態に備えることができる行動監視システムを提案するものである。
【課題を解決するための手段】
【０００５】
請求項１の発明の行動監視端末は、行動を監視するための情報と、行動監視の開始指示を入力する入力手段１０１と、前記入力した情報をもとに行動を監視するエリアを特定する監視エリア特定手段１０２と、前記監視開始指示により、現在位置を測位する現在位置測位手段１０４と、前記監視開始指示により、前記現在位置測位手段１０４で測位した現在位置情報をもとに、監視エリア内での行動を監視し、前記監視エリアから逸脱することを監視する現在位置判定手段１０６と、前記現在位置判定手段１０６で監視エリアから逸脱してから、経過時間を計測する時間計測手段１０５と、前記監視エリアから逸脱して、所定時間内に監視エリアに戻らなかった場合、所定通知先に通知する通信処理手段１０７を備えたことを特徴とする。
【０００６】
請求項２の発明は、請求項１記載の行動監視端末において、前記時間計測手段１０５はさらに、前記監視開始指示により経過時間を計測し、前記現在位置判定手段１０６はさらに、監視開始してからの経過時間が所定の時間を超えることを監視し、前記通信処理手段１０７は前記経過時間が所定時間を超えた場合、所定通知先に通知することを特徴とする。
【０００７】
請求項３の発明は、請求項１記載の行動監視端末において、前記現在位置判定手段１０６はさらに、監視エリア内で移動が停止することを監視し、前記時間計測手段１０５はさらに、監視エリア内で移動が停止してから時間を計測し、前記通信処理手段１０７は前記移動が停止した時間が所定時間を超えた場合、所定通知先に通知することを特徴とする。
【０００８】
請求項４の発明は、請求項１記載の行動監視端末において、前記監視エリア特定手段１０２はＧＰＳ機能を利用して、出発地と経由地と目的地と所要時間でルートを求め、前記求めたルートから外周ルートとして２つのルートを選択し、前記外周ルートで囲まれた領域を監視エリアとすることを特徴とする。
【０００９】
請求項５の発明は、請求項４記載の行動監視端末において、前記監視エリア特定手段１０２はさらに、求めた監視エリアの外側に遊びのエリアを設けることを特徴とする。
【００１０】
請求項６の発明の行動監視システムは、ＧＰＳ機能をもった監視される携帯電話機１と、監視する携帯電話機２において、前記携帯電話機２は行動を監視するための情報と、行動監視の開始指示を入力する入力手段２１１と、前記入力した情報をもとに行動を監視するエリアを特定する監視エリア特定手段２１２とを備え、前記携帯電話機１は前記監視開始指示により、現在位置を測位する現在位置測位手段２０３と、前記監視開始指示により、前記現在位置測位手段２０３で測位した現在位置情報をもとに、監視エリア内での行動を監視し、前記監視エリアから逸脱することを監視する現在位置判定手段２０５と、前記現在位置判定手段２０５で監視エリアから逸脱してから、経過時間を計測する時間計測手段２０４と、前記監視エリアから逸脱して、所定時間内に監視エリアに戻らなかった場合、所定通知先に通知する通信処理手段２０６を備えたことを特徴とする。
【００１１】
請求項７の発明の行動監視システムは、ＧＰＳ機能をもった監視される携帯電話機１と、監視する携帯電話機２と、監視判定を行うサーバ装置において、前記携帯電話機２は行動を監視するための情報と、行動監視の開始指示を入力する入力手段３１１を備え、前記携帯電話機１はＧＰＳ機能により現在位置を測位する現在位置測位手段３０２を備え、前記サーバ装置は前記携帯電話機２から送られた入力した情報をもとに行動を監視するエリアを特定する監視エリア特定手段３２１と、前記携帯電話機２からの監視開始指示により、前記携帯電話機１からの現在位置情報をもとに、監視エリア内での行動を監視し、前記監視エリアから逸脱することを監視する現在位置判定手段３２４と、前記現在位置判定手段３２４で監視エリアから逸脱してから、経過時間を計測する時間計測手段３２３と、前記監視エリアから逸脱して、所定時間内に監視エリアに戻らなかった場合、所定通知先に通知する通信処理手段３２５を備えたことを特徴とする。
【００１２】
請求項８の発明の行動監視方法は、特定した監視エリアでの行動を監視し、異常を検知して通報する方法において、行動を監視するための情報と、行動監視の開始指示を入力する入力ステップと、前記入力した情報をもとに行動を監視するエリアを特定する監視エリア特定ステップと、前記監視開始指示により、現在位置を測位する現在位置測位ステップと、前記監視開始指示により、前記現在位置測位ステップで測位した現在位置情報をもとに、監視エリア内での行動を監視し、前記監視エリアから逸脱することを監視する現在位置判定ステップと、前記現在位置判定ステップで監視エリアから逸脱してから、経過時間を計測する時間計測ステップと、前記監視エリアから逸脱して、所定時間内に監視エリアに戻らなかった場合、所定通知先に通知する通信処理ステップを備えたことを特徴とする。
【００１３】
請求項９の発明の行動監視プログラムは、特定した監視エリアでの行動を監視し、異常を検知して通報するプログラムにおいて、行動を監視するための情報と、行動監視の開始指示を入力する入力ステップと、前記入力した情報をもとに行動を監視するエリアを特定する監視エリア特定ステップと、前記監視開始指示により、現在位置を測位する現在位置測位ステップと、前記監視開始指示により、前記現在位置測位ステップで測位した現在位置情報をもとに、監視エリア内での行動を監視し、前記監視エリアから逸脱することを監視する現在位置判定ステップと、前記現在位置判定ステップで監視エリアから逸脱してから、経過時間を計測する時間計測ステップと、前記監視エリアから逸脱して、所定時間内に監視エリアに戻らなかった場合、所定通知先に通知する通信処理ステップを備えたことを特徴とする。
【発明の効果】
【００１４】
本発明によれば、監視エリアを自由に設定し、監視エリアから逸脱してから予め設定した時間を経過しても復帰しなかった場合、不測の事態が発生した可能性があると判断して、自動的に所定の通知先に知らせることで、不測の事態に対して速やかな対応をとることができる。
【００１５】
また本発明によれば、監視開始してからの経過時間が予め設定した時間を超えた場合、不測の事態が発生した可能性があると判断して、自動的に所定の通知先に知らせることで、不測の事態に対して速やかな対応をとることができる。
【００１６】
また本発明によれば、移動が停止してからの経過時間が予め設定した時間を超えた場合、不測の事態が発生した可能性があるとて判断して、自動的に所定の通知先に知らせることで、不測の事態に対して速やかな対応をとることができる。
【００１７】
また本発明によれば、出発地と経由地と目的地と所要時間を入力することで、監視する相手の運動能力に応じた最適な監視エリアを決めることができるので、監視する相手に応じた最適な行動の監視が可能となる。
【００１８】
また本発明によれば、監視機能を監視側携帯端末と被監視側携帯端末に分けることができるため、監視する携帯電話機側で自由に監視ルートを登録でき、監視開始の指示もできるので、自由度が増し、使い勝手が向上する。
【００１９】
また本発明によれば、監視側携帯電話機には監視情報の入力機能、被監視側携帯電話機にはＧＰＳ機能による現在位置測位機能、サーバ装置にその他の機能と機能分散することにより、サーバ装置でほとんどの機能を実現することで、携帯電話機側の負荷を軽減でき、携帯電話機に新たな機能を付加することなく、検索サービスを実現することが可能となる。
【発明を実施するための最良の形態】
【００２０】
（実施の形態１）
実施の形態１においては、例えば、監視される子どもが所有する携帯電話機１００と監視する親が所有する携帯電話機（図示しない。特別な機能は持たない一般の携帯電話機）によって構成される。携帯電話機１００で監視ルート情報の入力や、監視開始入力を行うことで、自ら監視を行い、監視結果を親が所有する携帯電話機に送る。
【００２１】
図１は本発明の１つの実施の形態における携帯電話機１００の構成を示している。この実施の形態の携帯電話機は、監視ルート情報（出発地、目的地、到着時間など）を入力する入力部１０１と、前記入力部によって入力した監視ルート情報により監視エリアを特定する監視エリア特定部１０２と、前記監視エリア特定部１０２で特定した監視エリアに関する情報を記憶する監視エリア記憶部１０３と、ＧＰＳにより現在位置を測定する現在位置測位部１０４と、監視エリアから出てからの時間や、移動が止まってからの時間や、監視開始してからの経過時間を計測する時間計測部１０５と、前記現在位置測位部１０４で測定した位置情報と、前記時間計測部１０５で測定した経過時間情報と、前記監視エリア特定部１０２で特定した監視エリア情報により、現在位置を判定する現在位置判定部１０６と、前記現在位置判定部１０６で判定した結果を監視結果通知先に送信する通信処理部１０７から構成される。
【００２２】
次に、上記構成の携帯電話機１００の動作について説明する。携帯電話機１００は親が子どもに与えた携帯電話機とし、事前に親は子どもの行動に併せて、監視したい行動内容を監視ルート情報として携帯電話機１００に登録するものとする。
まず、図９、図１０のフローチャートと図１１の監視エリア特定図に基づいて監視ルート情報を入力して、監視エリアを特定する手順について説明する。親は携帯電話機１００の入力部１０１から、子どもの行動を監視するための監視ルート情報を入力する（Ｓ１０１）。監視ルート情報としては、監視ルート毎に出発地、経由地、目的地、所要時間などがある。
【００２３】
次に、前記入力部１０１で入力された出発地、経由地、目的地、所要時間などにより、監視エリア特定部１０２が監視エリアを特定する手順について説明する。入力した出発地、経由地、目的地、所要時間などにより、現在位置測位部１０４は入力した地域に該当する地図を表示し、該当するルートを検索して地図上に該当ルートを表示する（図１１（ａ））。なお、該当ルートは出発地、経由地、目的地を同一にするルートから、所要時間により算出された距離の範囲内に該当するルートが選択される（Ｓ２０１）。
前記選択されたルートが複数ある場合（Ｓ２０２）、選択された複数ルートの中から、最も外側を通るルートを２つ選択する（Ｓ２０３、図１１（ｂ））。前記選択した２つのルートから、入力部１０１で入力したエリア範囲（９０５）で指定した距離分だけ外側に移動させた外周を決めて、外周で囲まれた範囲を監視エリアとする（Ｓ２０４、図１１（ｃ））。
また、前記選択されたルートが１つしかない場合（Ｓ２０２）は、選択されたルートから、前記エリア範囲（９０５）で指定した距離分だけ外側に移動させた外周を決めて、外周で囲まれた範囲を監視エリアとする（Ｓ２０５）。
前記特定した監視エリア上に所定の粒度で格子状に座標点をプロットする（Ｓ２０６、図１１（ｄ））。前記プロットした座標点の緯度と経度による情報の一覧を作成し（図１５）、監視エリア情報とする（Ｓ２０７）。これを監視エリアとして地図画面にて確認ののち（Ｓ１０３）、監視エリア記憶部１０３に登録をする（Ｓ１０５）。
【００２４】
次に、図１２のフローチャートに基づいて監視エリアでの監視手順について説明する。監視を開始する時、携帯電話機１００の入力部１０１から監視開始の入力を行う。監視が始まると、監視開始の出発地から目的地までかかる時間を計測するための所要時間タイマーをオンにする（Ｓ３０１）。現在位置測位部１０４で現在位置を測定する（Ｓ３０２）。測定した現在位置が目的地かどうかを判定する（Ｓ３０３）。具体的には目的地の経度・緯度情報と測定した経度・緯度情報を比較判定する。前記判定結果、現在位置が目的地であれば、目的地に到着したことを予め設定している通知先９０８に通知する（Ｓ３１４）。
また、前記判定結果、現在位置が目的地でない場合、監視を開始してから予め設定した所要時間９０４と前記タイマーをオンした所要時間タイマーを比較して、監視を開始してからの時間をチェックする（Ｓ３０４）。チェックした結果、タイマーが予め設定した所要時間を超えていた場合、所要時間オーバーを予め設定している通知先９０８に通知する（Ｓ３０５）。
【００２５】
また、前記測定した現在位置が監視エリアの範囲内かどうかを判定する（Ｓ３０６）。具体的には現在位置の経度・緯度情報が監視エリアの経度・緯度情報の中に含まれるか否かの判定を行う。前記判定結果、現在位置が監視エリアの外にある場合、監視エリアの外に出てからの時間を計測するためのエリア外タイマーをオンにする（Ｓ３０７）。
前記エリア外タイマーが予め設定したエリア外判定時間９０６を超えたかどうかを判定する（Ｓ３０８）。前記判定結果、現在位置が監視エリアの外に出て、予め設定した時間を超えている場合は予め設定している通知先９０８に通知する（Ｓ３０９）。また、現在位置が監視エリアの外に出て、予め設定した時間を超えていない場合は現在位置測定処理（Ｓ３０２）に戻る。
なお、再度、現在位置が監視エリアの範囲内かどうかを判定した結果、現在位置が監視エリア内に戻った場合は、エリア外タイマーをオフにする（Ｓ３１５）。
【００２６】
また、前記測定した現在位置が監視エリアの範囲内であれば、現在位置が前回測定した位置と同じかどうかを判定する（Ｓ３１０）。判定結果、現在位置が前回測定した位置と同じであれば、停滞タイマーをオンにする（Ｓ３１１）。
前記停滞タイマーが予め設定した停滞監視時間９０７を超えたかどうかを判定する（Ｓ３１２）。前記判定結果、現在位置からの動きがなくなって、現在位置にとどまっている時間が、予め設定した時間を超えた場合は予め設定している通知先９０８に通知する（Ｓ３１３）。また、現在位置にとどまっている時間が予め設定した時間を超えていない場合は現在位置測定処理（Ｓ３０２）に戻る。
なお、再度、現在位置が前回測定した位置と同じかどうかを判定した結果、現在位置が前回測定した位置から移動した場合は、停滞タイマーをオフにする（Ｓ３１６）。
【００２７】
次に、図１４のような監視情報を入力した場合において、図１７のような３つの通知（（１）監視エリアをはずれてから所定時間が経過した、（２）所定時間を超えても目的地に着いていない、（３）監視エリア内で移動が止まって所定時間経過した）が予め設定した通知先に、通知される処理について、図１４から図１７を使って説明する。
入力部１０１から監視ルート情報を入力する。監視ルート情報は図１４に示すように、監視を開始する場所を特定する出発地９０１に「自宅」、監視を終了する場所を特定する目的地９０３に「○○学習塾」、出発地から目的地へ行くまでに経由する場所がある場合はその経由地９０２に「△△駅」、出発地から目的地までにかかる時間を特定する所要時間９０４に「１時間」、監視エリアを特定するときの外周ルートからの距離を特定するエリア範囲９０５に「広い」、監視エリアからはずれてから通知するまでの時間を特定するエリア外判定時間９０６に「１０分」、監視エリア内で移動が止まってから通知するまでの時間を特定する停滞監視時間９０７に「１０分」、前記３つの通知をする通知先を特定するメール通知先９０８に「ａｂｃ＠ｘｙｚ．ｎｅ．ｊｐ」と、電話通知先９０９に「０９０−１２３４−５６７８」を入力する。
【００２８】
前記入力された監視ルート情報の出発地情報９０１と、経由地情報９０２と、目的地情報９０３と、所要時間情報９０４をもとにして、監視エリア特定部１０２により監視エリアを特定する。監視エリア特定部１０２は、前記入力した出発地情報９０１と、経由地情報９０２と、目的地情報９０３で、地図情報のルート検索を行う。さらに、所要時間情報９０４で絞り込みを行い、監視ルートを抽出する。この場合、抽出されたルートが図１１（ａ）のように、３つのルート（ルート１、ルート２、ルート３）があったとすると、３つのルートから監視エリアを特定するために必要となる外周ルートとして、ルート１とルート３を決める（図１１（ｂ））。監視エリア（自宅から△△駅を経由して、○○学習塾へ行く２つの道のりによって囲まれる領域）を特定するための前記２つの道のりで特定される外周ルートから、監視エリアを特定するための遊び領域を決めるために、監視エリア情報のエリア範囲９０５を考慮して遊び領域を広くするのか、又は狭くするのかを決めて、最終的に監視エリアを決定する。なお、図１４のエリア範囲９０５は「広い」となっているため、前記求めた外周ルートより広めの監視エリアを特定するために、例えば外周ルートより１００メートル外に広げたルートを監視エリアの外周とする。従って、自宅から△△駅を経由して○○学習塾に行くまでの監視エリアは図１１（ｃ）に示すような領域になる。ちなみに、エリア範囲９０５が「狭い」となっている場合は、外周ルートより１０メートル外に広げたルートを監視エリアの外周にすることもできる。
【００２９】
以上の手順で監視エリアを決定すると、監視エリアの位置を特定するために、監視エリア上に所定の粒度で格子状に経度情報と緯度情報による座標点をプロットする（図１１（ｄ））。前記プロットした全ての座標点の緯度情報と経度情報を監視エリア情報として監視エリア記憶部１０３に登録する。
【００３０】
次に、携帯電話機１００の入力部１０１から行動を監視する監視メニューを選択して、監視が開始されるまでを説明する。前記手順で登録された監視エリア情報は図１６に示すように、携帯電話機の表示画面に登録済みの監視ルートが表示される。そこで、行動を監視したい監視ルートを選択することで、監視を開始する。図１６においては３番目の監視ルート「自宅−△△駅−○○学習塾」を選択した図である。
前記３番目の監視ルート「自宅−△△駅−○○学習塾」の監視が始まると、携帯電話機１００の現在位置測位部１０４は携帯電話機１００の保持者が目的地である○○学習塾へ着くまで現在位置を測位し続ける。そして、前記測位した現在位置情報（経度情報と緯度情報）と登録済みの監視エリア情報９１０（経度情報と緯度情報）の比較を続ける。例えば、携帯電話機１００を持っている子どもが自宅から△△駅を通って、○○学習塾に行く途中で、誰かに誘われて○○学習塾へ行くルートからはずれて、監視エリア（図１３の１３０１）から外に出た場合（図１３の１３０２）、エリア外監視タイマーがスタートし、監視エリアを出てからエリア外判定時間９０６経過すると、予め設定しているメール通知先９０８又は電話通知先９０９に監視エリアから外に出たことを通知する（図１７の９３１）。
また、携帯電話機１００を持っている子どもが自宅から△△駅を通って、○○学習塾に行く途中で、予め設定している所要時間９０４を超えた場合、予め設定しているメール通知先９０８又は電話通知先９０９に監視エリア内を移動中で所要時間を超えたことを通知する（図１７の９３２）。
また、携帯電話機１００を持っている子どもが自宅から△△駅を通って、○○学習塾に行く途中で、寄り道して移動が止まった場合、停滞監視タイマーがスタートし、予め設定している停滞監視時間９０７経過すると、予め設定しているメール通知先９０８又は電話通知先９０９に監視エリア内で動きが止まっていることを通知する（図１７の９３３）。
【００３１】
（実施の形態２）
実施の形態２においては、例えば、監視される子どもが所有する携帯電話機２００と、監視する親が所有する携帯電話機２１０とによって構成される。携帯電話機２１０で監視ルート情報の入力や、監視開始入力を行うことで、携帯電話機２００を所有する子どもの行動の監視を行い、監視結果を親が所有する携帯電話機２１０に送る。
【００３２】
図３は監視する親が持つ携帯電話機２１０の構成を示している。携帯電話機２１０は、監視ルート情報（出発地、目的地、到着時間など）を入力する入力部２１１と、前記入力部によって入力した監視ルート情報により監視エリアを特定する監視エリア特定部２１２と、前記監視エリア特定部２１２で特定した監視エリアに関する情報を記憶する監視エリア記憶部２１３と、前記監視エリア情報を監視される携帯電話機２００に送信する通信処理部２１４と、監視される携帯電話機２００から送られる監視結果情報を表示する表示部２１５から構成される。
図２は監視される子どもが持つ携帯電話機２００の構成を示している。携帯電話機２００は、監視する携帯電話機２１０から送られる監視エリア情報を受信する、さらに携帯電話機２００で求めた監視結果を携帯電話機２１０へ送る通信処理部２０６と、ＧＰＳにより現在位置を測定する現在位置測位部２０３と、監視エリアから出てからの時間や、移動が止まってからの時間や、監視開始してからの経過時間を計測する時間計測部２０４と、前記現在位置測位部２０３で測定した位置情報と、前記時間計測部２０４で測定した経過時間情報と、携帯電話機２１０から送られてきた監視エリア情報により、現在位置を判定する現在位置判定部２０５とから構成される。
【００３３】
次に、上記構成の携帯電話機２００と携帯電話機２１０の動作について、図４により説明する。携帯電話機２００は監視される携帯電話機として子どもに持たせ、携帯電話機２１０は監視する携帯電話機として親が所有し、監視情報の入力や監視開始入力や、監視される携帯電話機２００から送られてくる監視結果を受信して子どもを監視する。図４は監視端末２５１（監視する携帯電話機２１０）と、被監視端末２５０（監視される携帯電話機２００）で取り交わされる通信内容にポイントをおいて、監視端末で入力した監視ルート情報に基づいて、被監視端末から監視結果が送られてくるまでの動作説明を行う。
【００３４】
監視端末２５１で入力した出発地、目的地、到着時間などの監視ルート情報をもとに、監視エリアを特定し（２５２）、前記特定した監視エリア情報を被監視端末２５０に送る（２５３）。被監視端末２５０は前記監視エリア情報を受信し、監視エリア記憶部２０２に記憶する（２５４）。
監視端末２５１の表示部２１５に表示された監視ルート登録一覧（図１６に示す）から、監視を開始する監視ルートを選択すると（２５５）、選択した監視ルートの監視開始指示が被監視端末２５０に送られる（２５６）。被監視端末２５０は前記送信された監視開始指示を受信し、現在位置測位部２０３において、現在位置の測定を開始する（２５７）。
【００３５】
例えば、現在位置が監視エリアから外に出てから一定時間（９０６）経過した場合（２５８）、監視エリアから出たことを監視端末２５１に通知する（２５９）。監視端末２５１は被監視端末２５０から送信された前記エリア外通知を受信して、図１７（９３１）に示すようなメッセージを表示部２１５に表示する（２６０）。
また、例えば、現在位置が監視エリア範囲内で、監視を開始してから経過時間が一定時間（９０４）を超えた場合（２５８）、所要時間をオーバしたことを被監視端末２５１に通知する（２５９）。監視端末２５１は被監視端末２５０から送信された前記所要時間オーバ通知を受信して、図１７（９３２）に示すようなメッセージを表示部２１５に表示する（２６０）。
また、例えば、現在位置が一定時間（９０７）変化しない場合（２５８）、移動が停止したことを被監視端末２５１に通知する（２５９）。監視端末２５１は被監視端末２５０から送信された前記移動停止通知を受信して、図１７（９３３）に示すようなメッセージを表示部２１５に表示する（２６０）。
【００３６】
（実施の形態３）
実施の形態３においては、例えば、監視される子どもが所有する携帯電話機３００と、監視する親が所有する携帯電話機３１０と、サーバ３２０によって構成される。携帯電話機３１０は監視ルート情報の入力や、監視開始入力を行い、携帯電話機３００は現在位置を取得し、サーバ３２０は監視エリアの特定、現在位置判定を行うことで、携帯電話機３００と携帯電話機３１０の負荷を軽減させる。
【００３７】
図６は監視する親が持つ携帯電話機３１０の構成を示している。携帯電話機３１０は、監視ルート情報（出発地、目的地、到着時間など）を入力する入力部３１１と、前記入力した監視ルート情報をサーバに送信、又はサーバから携帯電話機３００の監視結果を受信する通信処理部３１２と、監視結果を表示する表示部３１３から構成される。
図５は監視される子どもが持つ携帯電話機３００の構成を示している。携帯電話機３００は、ＧＰＳにより現在位置を測定する現在位置測位部３０２と、前記測定結果をサーバに送信する通信処理部３０３から構成される。
図７はサーバ３２０の構成を示している。サーバ３２０は、携帯電話機３００と携帯電話機３１０からのデータを受信する通信処理部３２５と、携帯電話機３１０から受信した監視ルート情報により監視エリアを特定する監視エリア特定部３２１と、前記監視エリア特定部３２１で特定した監視エリアに関する情報を記憶する監視エリア記憶部３２２と、携帯電話機３００から受信した現在位置情報により携帯電話機３００を所有している子どもの現在位置を判定する現在位置判定部３２４と、携帯電話機３００が監視エリアから出てからの時間や、携帯電話機３００の移動が止まってからの時間や、監視開始してからの経過時間を計測する時間計測部３２３から構成される。
【００３８】
次に、上記構成の携帯電話機３００と携帯電話機３１０とサーバ３２０の動作について、図８を用いて説明する。携帯電話機３００は監視される携帯電話機として子どもに持たせ、携帯電話機３１０は監視する携帯電話機として親が所有し、サーバ３２０は携帯電話機３１０で入力される監視ルート情報や監視開始入力情報や、監視される携帯電話機３００から送られてくる現在位置情報を受信して携帯電話機３００の監視を行い、監視結果を携帯電話機３１０に通知する。図８は監視端末３５０（親が持つ監視する携帯電話機３１０）と、被監視端末３５２（子どもが持つ監視される携帯電話機３００）と、サーバ３５１（監視処理を行うサーバ３２０）で取り交わされる通信内容にポイントをおいて、監視端末で入力した監視ルート情報に基づいて、サーバから監視結果が送られてくるまでの動作説明を行う。
【００３９】
監視端末３５０で入力した出発地、目的地、到着時間などの監視ルート情報をサーバ３５１に送信する（３５３）。
サーバ３５１は監視端末３５０から送信された前記監視ルート情報を受信し、監視エリアを特定し（３５４）、監視エリア記憶部３２２に記憶する。
監視端末３５０の表示部３１３に表示された監視ルート登録一覧（図１６に示す）から、監視を開始する監視ルートを選択すると（３５５）、選択した監視ルートの監視開始指示がサーバ３５１に送られる（３５６）。
サーバ３５１は前記送信された監視開始指示を受信し、被監視端末３５２に現在位置の測定を開始する指示を送る（３５７）。
被監視端末３５２はサーバ３５１から受信した現在位置測定開始指示を受信することで、現在位置の測定を開始し（３５８）、測定結果をサーバ３５１に送信する（３５９）。
サーバ３５１は前記送信された現在位置測定情報を受信して、被監視端末３５２の位置の監視を開始する。
【００４０】
例えば、現在位置が監視エリアから外に出てから一定時間（９０６）経過した場合（３６０）、監視エリアから出たことを監視端末３５０に通知する（３６１）。監視端末３５０はサーバ３５１から送信された前記エリア外通知を受信して、図１７（９３１）に示すようなメッセージを表示部３１３に表示する（３６２）。
また、例えば、現在位置が監視エリア範囲内で、監視を開始してから経過時間が一定時間（９０４）を超えた場合（３６０）、所要時間をオーバしたことを監視端末３５０に通知する（３６１）。監視端末３５０はサーバ３５１から送信された前記所要時間オーバ通知を受信して、図１７（９３２）に示すようなメッセージを表示部３１３に表示する（３６２）。
また、例えば、現在位置が一定時間（９０７）変化しない場合（３６０）、移動が停止したことを監視端末３５０に通知する（３６１）。監視端末３５０はサーバ３５１から送信された前記移動停止通知を受信して、図１７（９３３）に示すようなメッセージを表示部３１３に表示する（３６２）。
【００４１】
また、本実施の形態においては、登録済みの監視ルート一覧から任意の監視ルートを選択することで、監視ルートの開始指示としたが、予め、監視ルート情報に監視開始するスケジュールを登録しておくことで、開始指示をしなくても自動的に監視を開始することもできる。
【００４２】
また、本機能は汎用プログラムとして単体で用意し、種々のアプリケーションプログラムに少しのプログラム変更によって組み込むことができるようにすれば、独立した行動監視ソフトウェアとしてアプリケーションソフトウェアの開発者や販売者に販売することもできるようになる。
【産業上の利用可能性】
【００４３】
本発明にかかる行動監視端末、及び行動監視システム、及び行動監視方法、及び行動監視プログラムは携帯電話等の移動端末を利用して、相手の行動を監視するサービスに適用できる。
【図面の簡単な説明】
【００４４】
【図１】第１の実施の形態（被監視端末だけで発明を実現）の機能ブロック図。
【図２】第２の実施の形態（監視端末と被監視端末で発明を実現）の被監視端末側の機能ブロック図。
【図３】第２の実施の形態の監視端末側の機能ブロック図。
【図４】第２の実施の形態における被監視端末と監視端末のシーケンス図。
【図５】第３の実施の形態（監視端末と被監視端末とサーバ装置で発明を実現）の被監視端末側の機能ブロック図。
【図６】第３の実施の形態の監視端末側の機能ブロック図。
【図７】第３の実施の形態のサーバ装置の機能ブロック図。
【図８】第３の実施の形態における被監視端末とサーバ装置と監視端末のシーケンス図。
【図９】第１の実施の形態における監視エリア登録処理フロー図。
【図１０】監視エリアを特定する処理フロー図。
【図１１】複数ルートから監視エリアを特定するまでのイメージ図。
【図１２】現在位置を判定する処理フロー図。
【図１３】監視エリアからはずれたイメージ図。
【図１４】監視ルート入力項目を示す図。
【図１５】監視エリアを特定する情報テーブル図。
【図１６】登録済みの監視ルートを選択するイメージ図。
【図１７】現在位置を判定して、監視エリアをはずれた時の通知イメージ図。
【符号の説明】
【００４５】
１００、２００、２１０、３００、３１０            携帯電話機
１０１、２０１、２１１、３０１、３１１            入力部
１０２、２１２、３２１                            監視エリア特定部
１０３、２０２、２１３、３２２                    監視エリア記憶部
１０４、２０３、３０２                            現在位置測位部
１０５、２０４、３２３                            時間計測部
１０６、２０５、３２４                            現在位置判定部
１０７、２０６、２１４、３０３、３１２、３２５    通信処理部
１０８、２０７、３０４                            ＧＰＳアンテナ
１０９、２０８、２１６、３０５、３１４、３２６    電話網アンテナ
１１０、２１５、３１３                            表示部
３２０                                            サーバ
【図１】
2005286817.tif 000003
【図２】
2005286817.tif 000004
【図３】
2005286817.tif 000005
【図４】
2005286817.tif 000006
【図５】
2005286817.tif 000007
【図６】
2005286817.tif 000008
【図７】
2005286817.tif 000009
【図８】
2005286817.tif 000010
【図９】
2005286817.tif 000011
【図１０】
2005286817.tif 000012
【図１１】
2005286817.tif 000013
【図１２】
2005286817.tif 000014
【図１３】
2005286817.tif 000015
【図１４】
2005286817.tif 000016
【図１５】
2005286817.tif 000017
【図１６】
2005286817.tif 000018
【図１７】
2005286817.tif 000019